(57)【要約】【課題】より簡易な管理により、より安価で利用者のはばひろい要望に応えることのできる駐輪場を提供しようとする。【解決手段】従来の駐輪場にかわって、二輪車が通過可能な幅を持った出庫路と該出庫路に設けられた出庫ゲートとを有する出庫口と、二輪車が通過可能な幅を持った入庫路を有する入庫口と、を備え、前記出庫ゲートが、上から見て中心から放射状に延び円周を分割して配置されたＮ本の出庫口水平腕と、前記出庫口水平腕のうちの少なくとも一本を出庫路を遮る位置で上から見て出庫路での出庫する方向の逆方向へ移動させる前記出庫口水平腕の回転を防止する出庫口逆走防止手段と、を持つものとした。【選択図】    図２
2004251077.tif 000002
【特許請求の範囲】
【請求項１】
二輪車を駐車させる駐輪場であって、
同時に一台の二輪車が通過可能な幅を持った出庫路と該出庫路に設けられた出庫ゲートとを有する出庫口と、
同時に一台の二輪車が通過可能な幅を持った入庫路を有する入庫口と、
を備え、
前記出庫ゲートが、上から見て中心から放射状に延び円周を分割して配置された３以上のＭ本の出庫口水平腕と、前記Ｍ本の出庫口水平腕を前記中心を通る垂直軸回りに回転自在に支持する出庫口支持構造と、前記出庫口水平腕のうちの少なくとも一本を出庫路を遮る位置で上から見て出庫路での出庫する方向の逆方向へ移動させる前記出庫口水平腕の回転を防止する出庫口逆走防止手段と、を持ち、
通常は前記出庫口または前記入庫口以外からは入庫または出庫ができない様になっている、
ことを特徴とする駐輪場。
【請求項２】
前記出庫ゲートが、上から見てＭ個のカムプロフィールが環状に連なったカム面を持ったカムである出庫口カムと該出庫口カムのカム面に倣って移動しつつ上下運動をする従動節である出庫口従動節とで構成される出庫口カム機構を持ち、
前記出庫口水平腕の回転が出庫口従動節の移動に連動し、
前記出庫口水平腕の上下運動が出庫口従動節の上下運動に連動し、
前記出庫口水平腕のうちの一本が出庫路を遮る位置で前記出庫口カムが前記出庫口従動節を前記カムプロフィールの中の最も低い位置で支持する、
ことを特徴とする請求項１に記載の駐輪場。
【請求項３】
出庫口逆走防止手段が、前記出庫口水平腕のうちの少なくとも一本が出庫路を遮る位置で、前記一本を上から見て出庫路での出庫する方向の逆方向へ移動させる前記出庫口水平腕の回転に連動する前記出庫口従動節の動きを遮る前記カムプロフィールを持った前記出庫口カムである、
ことを特徴とする請求項２に記載の駐輪場。
【請求項４】
前記出庫路が屈曲して、前記出庫路の進入部が前記出庫口水平腕の中心のある側へ寄っている、
ことを特徴としている請求項１に記載の駐輪場。
【請求項５】
出庫ゲートが出庫口ロック機構を持ち、
前記出庫ロック機構が、前記出庫口水平腕の少なくとも一本が前記出庫路を遮る位置で、前記出庫口水平腕の回転をロックし、又所定の出庫口解除信号により前記出庫口水平腕の回転を自由にする、
ことを特徴とする請求項１に記載の駐輪場。
【請求項６】
前記出庫口解除信号が、出庫口での二輪車の乗員の所定の出庫口操作に連動して発信される、
ことを特徴とする請求項５に記載の駐輪場。
【請求項７】
前記出庫ゲートが、上から見て前記中心から前記出庫路を跨いだ反対側にある他の垂直軸回りに揺動可能な出庫口揺動腕と、該出庫口揺動腕を前記出庫路を遮る位置に付勢する出庫口揺動腕付勢手段と、を持つ、
ことを特徴とする請求項１乃至請求項６に記載の駐輪場。
【請求項８】
前記入庫口が該入庫路に設けられた入庫ゲートを有し、
前記入庫ゲートが、上から見て中心から放射状に延び円周を分割して配置された３以上のＮ本の入庫口水平腕と、前記Ｎ本の入庫口水平腕を前記中心を通る垂直軸回りに回転自在に支持する入庫口支持構造と、前記入庫口水平腕のうちの少なくとも一本を入庫路を遮る位置で上から見て入庫路での入庫する方向の逆方向へ移動させる前記入庫口水平腕の回転を防止する入庫口逆走防止手段と、を持つ、ことを特徴とする請求項１に記載の駐輪場。
【請求項９】
前記入庫ゲートが、上から見てＮ個のカムプロフィールが環状に連なったカム面を持ったカムである入庫口カムと該入庫口カムのカム面に倣って移動しつつ上下運動をする従動節である入庫口従動節とで構成される出庫口カム機構を持ち、
前記入庫口水平腕の回転が入庫口従動節の移動に連動し、
前記入庫口水平腕の上下運動が入庫口従動節の上下運動に連動し、
前記入庫口水平腕のうちの一本が入庫路を遮る位置で前記入庫口カムが前記入庫口従動節を前記カムプロフィールの中の最も低い位置で支持する、
ことを特徴とする請求項８に記載の駐輪場。
【請求項１０】
入庫口逆走防止手段が、前記入庫口水平腕のうちの少なくとも一本が入庫路を遮る位置で、前記一本を上から見て入庫路での入庫する方向の逆方向へ移動させる前記入庫口水平腕の回転に連動する前記入庫口従動節の動きを遮る前記カムプロフィールを持った前記入庫口カムである、
ことを特徴とする請求項９に記載の駐輪場。
【請求項１１】
前記入庫路が屈曲して、前記入庫路の進入部が前記入庫口水平腕の中心のある側へ寄っている、
ことを特徴としている請求項８に記載の駐輪場。
【請求項１２】
入庫ゲートが入庫口ロック機構を持ち、
前記入庫ロック機構が、前記入庫口水平腕の少なくとも一本が前記入庫路を遮る位置で、前記入庫口水平腕の回転をロックし、又所定の入庫口解除信号により前記入庫口水平腕の回転を自由にする、
ことを特徴とする請求項８に記載の駐輪場。
【請求項１３】
前記入庫口解除信号が、入庫口での二輪車の乗員の所定の入庫口操作に連動して発信される、
ことを特徴とする請求項１２に記載の駐輪場。
【発明の詳細な説明】
【０００１】
【発明の属する技術分野】
本発明は、二輪車を駐車させる駐輪場に係る。特に、入出庫口に設けられるゲート構造に特徴のある入出庫システムを持った駐輪場に関する。
【０００２】
【従来の技術】
多数人が共用する施設としての駐輪場では、本来、自転車や自動二輪車の所有者が自己の責任において自転車等を管理するものである。従って、各人が自己の自転車等に鍵をかけるようにしている。
【０００３】
しかし、有料の駐輪場でも自転車の出し入れが自由であると、無断で駐輪することを阻止できない。通常、有料の駐輪場では駐輪する場所を特定し、定められた場所に自由に駐輪するようなシステムを採用するが、時間外は管理人不在で出入り自在な駐輪場は他人がその場所やその通路上に無断で駐輪すると折角料金を払いながら自分の場所に駐輪できない事態や通路等での無断駐輪により出入できない事態や盗難も生じる。
【０００４】
また、貸し自転車の管理システムとして、各自転車の鍵をカードリーダを備えた鍵管理盤で管理する方法もあるが、このような鍵管理盤等は通常、壁等に設けられるもので、その設置位置が制限されてしまう。
【０００５】
そこで、権利者の情報管理や、管理者を常駐させないでも、正当な権利がないのに駐輪するなどの無断使用を防ぐことができるとともに、鍵をかけずにおいても盗難されることを防止できる駐輪場として、駐輪場の出入り通路にカードで開閉するゲートを設置し、自転車所有者の各自がカードを所有するシステムも種々提案されている。
【０００６】
【特許文献１】
実開平０６−０２０７８８  号公報
【特許文献２】
特開平０３−８８０００号公報
【特許文献３】
特開平０８−２９６３３６  公報
【０００７】
【発明が解決しようとする課題】
今以上に、管理がより簡易で、利用者の要望に答えることができ、不正使用を簡易に防止でき、設置のためのイニシアルコストが少なく、管理のためのランニングコストが少なくなる構造を有する駐輪場が望まれている。
【０００８】
本発明は以上に述べた問題点に鑑み案出されたもので、従来の二輪車を駐輪させる駐輪場にかわって、より簡易な管理により管理者の要望に応えることができ、より安価で設置者の要望に応えることができ、また、利用者のはばひろい要望に応えることのできる駐輪場を提供しようとする。
【０００９】
【課題を解決するための手段】
上記目的を達成するため、本発明に係る二輪車を駐輪させる駐輪場を、同時に一台の二輪車が通過可能な幅を持った出庫路と該出庫路に設けられた出庫ゲートとを有する出庫口と、同時に一台の二輪車が通過可能な幅を持った入庫路を有する入庫口と、を備え、前記出庫ゲートが、上から見て中心から放射状に延び円周を分割して配置された３以上のＭ本の出庫口水平腕と、前記Ｍ本の出庫口水平腕を前記中心を通る垂直軸回りに回転自在に支持する出庫口支持構造と、前記出庫口水平腕のうちの少なくとも一本を出庫路を遮る位置で上から見て出庫路での出庫する方向の逆方向へ移動させる前記出庫口水平腕の回転を防止する出庫口逆走防止手段と、を持ち、通常は前記出庫口または前記入庫口以外からは入庫または出庫ができない様になっている、ものとした。
【００１０】
上記本発明の構成により、入庫口では、前記入庫路が同時に一台の二輪車が通過可能な幅を持ち、出庫口では、前記出庫路が同時に一台の二輪車が通過可能な幅を持ち、前記出庫ゲートが該出庫路に設けられ、３以上のＭ本の前記出庫口水平腕が、上から見て中心から放射状に延び円周を分割して配置され、前記出庫口支持構造がＭ本の前記出庫口水平腕を前記中心を通る垂直軸回りに回転自在に支持し、前記出庫口逆走防止手段が前記出庫口水平腕のうちの少なくとも一本を出庫路を遮る位置で上から見て出庫路での出庫する方向の逆方向へ移動させる前記出庫口水平腕の回転を防止し、通常は前記出庫口または前記入庫口以外からは入庫または出庫ができない様になっているので、二輪車は、前記入庫路を通過して駐輪場に入庫することができ、前記出庫口水平腕を押して回転させて出庫口の出庫路を通過でき、出庫口から駐輪場へ入ることができず、それ以外からは入庫または出庫が出来ないので、二輪車の駐輪場での入出庫を管理できる。
【００１１】
さらに、本発明に係る駐輪場は、前記出庫ゲートが、上から見てＭ個のカムプロフィールが環状に連なったカム面を持ったカムである出庫口カムと該出庫口カムのカム面に倣って移動しつつ上下運動をする従動節である出庫口従動節とで構成される出庫口カム機構を持ち、前記出庫口水平腕の回転が出庫口従動節の移動に連動し、前記出庫口水平腕の上下運動が出庫口従動節の上下運動に連動し、前記出庫口水平腕のうちの一本が出庫路を遮る位置で前記出庫口カムが前記出庫口従動節を前記カムプロフィールの中の最も低い位置で支持する、のが好ましい。
上記本発明の構成により、前記出庫口カムが上から見てＭ個のカムプロフィールが環状に連なったカム面を持ったカムであり、前記出庫口従動節が該出庫口カムのカム面に倣って移動しつつ上下運動をする従動節であり、前記出庫口水平腕の回転が出庫口従動節の移動に連動し、前記出庫口水平腕の上下運動が出庫口従動節の上下運動に連動し、前記出庫口水平腕のうちの一本が出庫路を遮る位置で前記出庫口カムが前記出庫口従動節を前記カムプロフィールの中の最も低い位置で支持するので、出庫路を遮る前記出庫口回転腕を出庫路の出庫方向に押すと、前記出庫口水平腕がカムプロフィールに沿ってせり上がり、前記出庫口水平腕のうちの他の一本が出庫路を遮ると前記出庫口水平腕が最も低い位置で安定して停止する。
【００１２】
さらに、本発明に係る駐輪場は、出庫口逆走防止手段が、前記出庫口水平腕のうちの少なくとも一本が出庫路を遮る位置で、前記一本を上から見て出庫路での出庫する方向の逆方向へ移動させる前記出庫口水平腕の回転に連動する前記出庫口従動節の動きを遮る前記カムプロフィールを持った前記出庫口カムである、のが好ましい。
上記本発明の構成により、前記カムプロフィールが、前記出庫口水平腕のうちの少なくとも一本が出庫路を遮る位置で、前記一本を上から見て出庫路での出庫する方向の逆方向へ移動させる前記出庫口水平腕の回転に連動する前記出庫口従動節の動きを遮るので、出庫口カム機構で出庫口逆走防止手段を実現できる。
【００１３】
さらに、本発明に係る駐輪は、前記出庫路が屈曲して、前記出庫路の進入部が前記出庫口水平腕の中心のある側へ寄っている、のが好ましい。
上記本発明の構成により、前記出庫路の進入部が、前記出庫口水平腕の中心のある側へ寄っているので、二輪車が、進入部から前記出庫路へ侵入する際に、前記出庫口水平腕が二輪車を誘導しやすい。
【００１４】
さらに、本発明に係る駐輪場は、出庫ゲートが出庫口ロック機構を持ち、前記出庫ロック機構が、前記出庫口水平腕の少なくとも一本が前記出庫路を遮る位置で、前記出庫口水平腕の回転をロックし、又所定の出庫口解除信号により前記出庫口水平腕の回転を自由にする、のが好ましい。
上記本発明の構成により、前記出庫口ロック機構が、前記出庫口水平腕の少なくとの一本が前記出庫路を遮る位置で、前記出庫口水平腕の回転をロックし、又所定の解除信号により前記出庫口水平腕の回転を自由にするので、所定の出庫口解除信号が発信された後で前記出庫路を遮る前記出庫口水平腕を押すと、出庫路を通過できて、再度前記出庫口水平腕のうちの他の一本が出庫路を遮ることができる。
【００１５】
さらに、本発明に係る駐輪場は、前記出庫口解除信号が、出庫口での二輪車の乗員の所定の出庫口操作に連動して発信される、のが好ましい。
上記本発明の構成により、出庫口での二輪車の乗員の所定の出庫口操作に連動して前記出庫口解除信号が発信されるので、二輪車の乗員の所定の出庫口操作をした後で、前記出庫路を遮る前記出庫口水平腕を押すと、出庫路を通過できて、再度前記出庫口水平腕のうちの他の一本が出庫路を遮ることができる。
【００１６】
さらに、本発明に係る駐輪場は、前記出庫口操作が、二輪車の乗員による精算処理または出庫時刻の記録を行なうための操作である、のが好ましい。
上記本発明の構成により、前記出庫口操作が、二輪車の乗員による精算処理または出庫時刻の記録を行なうための操作であるので、二輪車の乗員は、精算処理または出庫時刻の記録を行った後で、前記出庫路を遮る前記出庫口水平腕を押すと、出庫路を通過できる。
【００１７】
さらに、本発明に係る駐輪場は、前記出庫ゲートが、上から見て前記中心から前記出庫路を跨いだ反対側にある他の垂直軸回りに揺動可能な出庫口揺動腕と、該出庫口揺動腕を前記出庫路を遮る位置に付勢する出庫口揺動腕付勢手段と、を持つのが好ましい。
上記本発明の構成により、前記出庫口揺動腕が上から見て前記中心から前記出庫路を跨いだ反対側にある他の垂直軸回りに揺動可能であり、出庫口揺動腕付勢手段が該出庫口揺動腕を前記出庫路を遮る位置に付勢するので、前記出庫口水平腕と前記出庫口揺動腕とで前記出庫路を遮り、前記出国口水平腕の長さを短くして、前記出庫口の間口を狭くすることができる。
【００１８】
さらに、本発明に係る駐輪場は、前記入庫口が該入庫路に設けられた入庫ゲートとを有し、前記入庫ゲートが、上から見て中心から放射状に延び円周を分割して配置された３以上のＮ本の入庫口水平腕と、前記Ｎ本の入庫口水平腕を前記中心を通る垂直軸回りに回転自在に支持する入庫口支持構造と、前記入庫口水平腕のうちの少なくとも一本を入庫路を遮る位置で上から見て入庫路での入庫する方向の逆方向へ移動させる前記入庫口水平腕の回転を防止する入庫口逆走防止手段と、を持つ、のが好ましい。
上記本発明の構成により、３以上のＮ本の前記入庫口水平腕が、上から見て中心から放射状に延び円周を分割して配置され、前記入庫口支持構造が前記Ｎ本の入庫口水平腕を前記中心を通る垂直軸回りに回転自在に支持し、前記入庫口逆走防止手段が前記入庫口水平腕のうちの少なくとも一本を入庫路を遮る位置で上から見て入庫路での入庫する方向の逆方向へ移動させる前記入庫口水平腕の回転を防止しているので、二輪車は、入庫口の入庫路を通過して駐輪場に入庫することができ、入庫ゲートの入庫口水平腕を押して回転させて入庫口の入庫路を通過でき、入庫口から駐輪場を出ることができず、それ以外からは入庫または出庫が出来ないので、二輪車の駐輪場での入出庫を管理できる。
【００１９】
さらに、本発明に係る駐輪場は、前記入庫ゲートが、上から見てＮ個のカムプロフィールが環状に連なったカム面を持ったカムである入庫口カムと該入庫口カムのカム面に倣って移動しつつ上下運動をする従動節である入庫口従動節とで構成される出庫口カム機構を持ち、前記入庫口水平腕の回転が入庫口従動節の移動に連動し、前記入庫口水平腕の上下運動が入庫口従動節の上下運動に連動し、前記入庫口水平腕のうちの一本が入庫路を遮る位置で前記入庫口カムが前記入庫口従動節を前記カムプロフィールの中の最も低い位置で支持する、のが好ましい。
上記本発明の構成により、前記入庫口カムが上から見てＮ個のカムプロフィールが環状に連なったカム面を持ったカムであり、入庫口従動節が入庫口カムと該カムのカム面に倣って移動しつつ上下運動をする従動節であり、前記入庫口水平腕の回転が入庫口従動節の移動に連動し、前記入庫口水平腕の上下運動が入庫口従動節の上下運動に連動し、前記入庫口水平腕のうちの一本が入庫路を遮る位置で前記入庫口カムが前記入庫口従動節を前記カムプロフィールの中の最も低い位置で支持するので、入庫路を遮る前記入庫口回転腕を入庫路の入庫方向に押すと、前記入庫口水平腕がカムプロフィールに沿ってせり上がり、前記入庫口水平腕のうちの他の一本が入庫路を遮ると前記入庫口水平腕が最も低い位置で安定して停止する。
【００２０】
さらに、本発明に係る駐輪場は、入庫口逆走防止手段が、前記入庫口水平腕のうちの少なくとも一本が入庫路を遮る位置で、前記一本を上から見て入庫路での入庫する方向の逆方向へ移動させる前記入庫口水平腕の回転に連動する前記入庫口従動節の動きを遮る前記カムプロフィールを持った前記入庫口カムである、のが好ましい。
上記本発明の構成により、前記カムプロフィールが、前記入庫口水平腕のうちの少なくとも一本が入庫路を遮る位置で、前記一本を上から見て入庫路での入庫する方向の逆方向へ移動させる前記入庫口水平腕の回転に連動する前記入庫口従動節の動きを遮るので、出庫口カム機構で入庫口逆走防止手段を実現できる。
【００２１】
さらに、本発明に係る駐輪場は、前記入庫路が屈曲し、前記入庫路の進入部が前記入庫口水平腕の中心のある側へ寄っている、のが好ましい。
上記本発明の構成により、前記入庫路の進入部が、前記入庫口水平腕の中心のある側へ寄っているので、二輪車が、進入部から前記入庫路へ侵入する際に、前記入庫口水平腕が二輪車を誘導しやすい。
【００２２】
さらに、本発明に係る駐輪場は、入庫ゲートが入庫口ロック機構を持ち、前記入庫ロック機構が、前記入庫口水平腕の少なくとも一本が前記入庫路を遮る位置で、前記入庫口水平腕の回転をロックし、又所定の入庫口解除信号により前記入庫口水平腕の回転を自由にする、のが好ましい
上記本発明の構成により、前記入庫口ロック機構が前記入庫口水平腕の少なくとの一本が前記入庫路を遮る位置で、前記入庫口水平腕の回転をロックし、又所定の入庫口解除信号により前記入庫口水平腕の回転を自由にするので、所定の入庫口解除信号が発信された後で前記入庫路を遮る前記入庫口水平腕を押すと、入庫路を通過できて、再度前記入庫口水平腕のうちの他の一本が入庫路を遮ることができる。
【００２３】
さらに、本発明に係る駐輪場は、前記入庫口解除信号が、入庫口での二輪車の乗員の所定の入庫口操作に連動して発信される、のが好ましい。
上記本発明の構成により、入庫口での二輪車の乗員の所定の入庫口操作に連動して前記入庫口解除信号が発信されるので、二輪車の乗員は、所定の入庫口操作をした後で、前記入庫路を遮る前記入庫口水平腕を押すと、入庫路を通過できる。
【００２４】
【発明の実施の形態】
以下、本発明の好ましい実施形態を、図面を参照して説明する。なお、各図において、共通する部分には同一の符号を付し、重複した説明を省略する。
【００２５】
最初に、本発明の好ましい第一の実施形態に係る駐輪場を、説明する。
図１は、本発明に係る第一の実施形態の全体平面図である。図２は、本発明に係る第一の実施形態の部分平面図である。図３は、本発明に係る第一の実施形態の部分正面図である。図４は、本発明に係る第一の実施形態のＡ−Ａ断面図である。図５は、本発明に係る第一の実施形態のＢ−Ｂ断面図である。
二輪車は、自転車、三輪車、自動二輪車、自動三輪車等の総称である。
【００２６】
駐輪場１は、二輪車６を駐輪させる場所であり、敷地２と囲いフェンス３と出庫口４と入庫口５とで構成される。
敷地２は、通常平面の舗装された土地である。
囲いフェンス３は、出庫口４と入庫口５とを除いて、敷地２の周囲を囲うものである。一般に、人間が出入りできる出入り口が、囲いフェンス３の数箇所に設けられる。
従って、二輪車は、通常、出庫口４または入庫口５以外からは入庫または出庫ができない。
【００２７】
出庫口４は、二輪車を駐輪場１の中から外へ出す（出庫という。）ための場所であり、出庫路１０と出庫口操作ボックス３０と出庫ゲート１００とで構成される。
出庫路１０は、同時に一台の二輪車５が通過可能な幅を持った径路であり、出庫口路面１１と出庫口誘導溝１２とで構成される。
出庫口路面１１は、乗員が二輪車を押して進むのに必要な幅を持った路面である。出庫口誘導溝１２は、出庫口路面の中心部に出庫路に沿って設けられた溝である。出庫口誘導路１２は、幅が広くて浅い第一の溝とその第一の溝の中央部設けられた幅が狭くて深い第二の溝とで構成される。第一の溝は、自動二輪車のタイヤがはまるのに必要な幅をもつ。第二の溝は、自転車のタイヤがはまるのに必要な幅を持つ。
特に、出庫路１０が屈曲し、出庫路１０の少なくとも進入側の経路が、後述する出庫口水平腕１１０の中心のある側へ寄っているのが好ましい。
【００２８】
出庫口操作ボックス３０は、出庫口１０から出庫する際に、二輪車５の乗員が操作するものである。
たとえば、駐輪場が自分の二輪車を駐輪させる場所である場合、出庫口操作ボックス３０は、駐車料金の精算処理を行なう装置である。精算処理を行なう装置は、現金投入箱、プロペイドカード書き換え装置、またはＩＣカード読み取り装置である。
また、駐輪場が備え付けの二輪車をレンタルする場所である場合、出庫口操作ボックス３０は、レンタルの開始時刻を記録する装置である。
二輪車の乗員が、出庫口操作ボックス３０に操作をすると、後述する出庫口解除信号を発信する。出庫ゲート１００は、出庫口解除信号をうけて後述する所定の作動をする。
【００２９】
出庫ゲート１００は、出庫路１０に設けられたゲートであり、出庫口水平腕１１０と出庫口支持構造１２０と出庫口カム機構１３０と出庫口ロック機構１４０と出庫口逆走防止手段１５０とを備える。
【００３０】
出庫口水平腕１１０は、上から見て中心Ｃから放射状に延び円周を分割して配置された３以上のＭ本の構造物である。
図１乃至図４は、中心Ｃから放射状に伸びた３本の出庫口水平腕１１０を一組として、３組の出庫口水平腕１１０が多段に並んだ構造を示している。
【００３１】
出庫口支持構造１２０は、Ｍ本の出庫口水平腕を前記中心Ｃを通る垂直軸回りに回転自在に支持する構造であり、出庫口回転柱１２１と出庫口上部回転ガイド１２２と出庫口下部回転ガイド１２３とで構成される。
出庫口回転柱１２１は、出庫口水平腕１１０の一端を固定された回転構造体である。出庫口回転柱１２１は、軸心を垂直にして、出庫口上部回転ガイド１２２と出庫口下部回転ガイド１２３とに回転自在に支持される。
出庫口上部回転ガイド１２２と出庫口下部回転ガイド１２３とが、出庫口回転柱１２１の下部の所定間隔だけ離れた２点を、回転自在に支持する。
出庫口上部回転ガイド１２２は、出庫口回転柱１２１を支持する一つの回転支持構造体である。図示しないが、出庫口上部回転ガイド１２２は回転ころ軸受や滑り軸受を備える。
出庫口下部回転ガイド１２３は、出庫口回転柱１２１を支持する他の回転支持構造体である。図示しないが、出庫口下部回転ガイド１２３は回転ころ軸受や滑り軸受を備える。
【００３２】
出庫口カム機構１３０は、前記出庫口支持構造１２０を介して、出庫口水平腕１１０を回転に伴って上下運動させる機構部品であり、出庫口カム１３１と出庫口従動節１３２とで構成される。
出庫口カム１３１は、上から見てＭ個（図では３個）のカムプロフィールＰが環状に連なったカム面を持ったカムである。出庫口カム１３１は、出庫口支持構造１２０の下部に設けられる。カム面が、上方を向き、出庫口回転柱１２１を囲っている。
出庫口従動節１３２は、出庫口カム１３１のカム面に倣って移動しつつ上下運動をする従動節である。出庫口水平腕１１０の回転が出庫口従動節１３２の移動に連動し、出庫口水平腕１１０の上下運動が出庫口従動節１３２の上下運動に連動する。図４は、出庫口従動節１３２は、出庫口回転柱１２１に固定されるのを示している。出庫口従動節１３２の下面が、出庫口カム１３１のカム面に接する。出庫口回転柱１２１が回転すると、出庫口従動節１３２が出庫口カム１３１のカム面に沿って移動する。従って、出庫口回転柱１２１が回転すると、出庫口カム１３１のプロフィールＰに倣って、出庫口回転柱１２１が上下運動をする。
特に、出庫口水平腕１１０のうちの一本が出庫路１０を遮る位置で、出庫口カム１３１が出庫口従動節１３２をカムプロフィールＰの中の最も低い位置で支持するのが好ましい。出庫口水平腕１１０のうちの一本が出庫路１０を遮る位置の最も典型的例は、出庫口水平腕１１０のうちの一本が出庫路１０の進行方向に交差する場合である。
【００３３】
特に、カムプロフィールＰが、後述する出庫口逆走防止手段１５０を構成するのが好ましい。
図５は、カムプロフィールＰの一例を示している。カムプロフィールＰは、上に凸の山形をしている。出庫口回転柱１２１が回転し、出庫口水平腕１１０のうちの一本が出庫路１０を遮る位置から移動し、出庫口水平腕１１０のうちの他の一本が出庫路１０を遮る位置に達するまでの、出庫口従動節１３２の動きを説明する。
【００３４】
出庫口水平腕１１０のうちの一本が出庫路１０を遮る位置にあるとき、出庫口従動節１３２は、カムプロフィールＰの最も低い位置Ｐ１にある。  出庫口水平腕１１０のうちの一本が押されて出庫路１０の出庫方向へ移動すると、出庫口回転柱１２１が回転し、出庫口従動節１３２は、カムプロフィールＰのなだらかな坂の部分Ｐ２を移動する。さらに、出庫口水平腕１１０のうちの一本が押されて出庫路１０の出庫方向へ移動すると、出庫口従動節１３２は、カムプロフィールＰの最も高い位置Ｐ３へ移動する。出庫口従動節１３２が、カムプロフィールＰの最も高い位置Ｐ３を越えると、出庫口従動節１３２が、カムプロフィールＰの最も低い位置Ｐ１に落ち、出庫口水平腕１１０のうちの他の一本が出庫路１０を遮る位置に達する。
【００３５】
最も高い位置Ｐ３から最も低い位置Ｐ１へ移る際のカムプロフィールＰが急な下り坂になっているので、出庫口従動節１３２は、最も低い位置Ｐ１から最も高い位置Ｐ３へ逆に移動することができない。これが、後述する出庫口逆走防止手段１５０の機能を実現する。
Ｍ個のカムプロフィールＰが環状に連なっているので、出庫口回転柱１２１が一回転する間に、上記の動作をＭ回繰り返す。
【００３６】
出庫口ロック機構１４０は、出庫口水平腕１１０の少なくとも一本が出庫路１０を遮る位置で、出庫口水平腕１１０の回転をロックし、又所定の出庫口解除信号により出庫口水平腕１１０の回転を自由にする機構である。
特に、出庫口解除信号が、出庫口１０での二輪車の乗員の所定の出庫口操作に連動して発信されるのが好ましい。
出庫口操作とは、例えば、出庫口操作ボックスに対する操作である。
【００３７】
図４は、出庫口ロック機構１４０が出庫口係合部材１４１と出庫口係合歯１４２と出庫口ロックばね１４３と出庫口ロックアクチエータ１４４とで構成されるの示す。
出庫口係合部材１４１は、円周に等間隔にＭ個の係合溝をもつ環状部材であり、出庫口回転柱１２１に同軸に結合している。
出庫口係合歯１４２は、出庫口係合部材１４１の係合溝に係合する部材であり、一点を中心として回転可能になっている。
出庫口ロックばね１４３は、圧縮ばねであり、出庫口係合歯１４２を出庫口係合部材１４１に付勢している。
出庫口ロックアクチエータ１４４は、直道アクチエータであり、出庫口係合歯１４２を駆動する。
出庫口係合歯１４２は、出庫口ロックばね１４３に付勢されて、出庫口係合部材１４１の係合溝に係合する。したがって、出庫口回転柱１２１の回転が拘束される。
出庫口ロックアクチエータ１４４が駆動すると、出庫口係合歯１４２が、出庫口係合部材１４２の係合溝から外れる。したがって、出庫口回転柱１２１の回転が自由になる。
【００３８】
出庫口逆走防止手段１５０は、出庫口水平腕１１０のうちの少なくとも一本が出庫路１０を遮る位置で、その一本を上から見て出庫路１０での出庫する方向の逆方向へ移動させる出庫口水平腕１１０の回転を防止する機構である。
特に、出庫口逆走防止手段１５０が、出庫口水平腕１１０のうちの少なくとも一本が出庫路１０を遮る位置で、その一本を上から見て出庫路１０での出庫する方向の逆方向へ移動させる出庫口水平腕１１０の回転に連動する出庫口従動節１３２の動きを遮るカムプロフィールＰを持った出庫口カム１３１のであるのが好ましい。
すなわち、上から見て出庫口水平腕１１０のうちの一つが出庫路１０の出庫方向へ移動する際に出庫口従動節１３２が移動するカムプロフィール１３１の最も高い位置Ｐ３から最も低い位置Ｐ１へ繋がる下り坂の軌跡の傾きを、出庫口カム１３１と出庫口カム１３１との接点の摩擦角より大きな傾斜にする。したがって、出庫口カム１３１は、カムプロフィール１３１の最も低い位置Ｐ１から最も高い位置Ｐ３への下り坂を逆方向に遡ることができず、出庫口水平腕１１０を付けた出庫口回転柱１２１が回転できない。従って、出庫口水平腕１１０のうちの少なくとも一本が、出庫路１０を遮る位置で、上から見て出庫路１０での出庫する方向の逆方向へ移動できない。
【００３９】
入庫口５は、二輪車を駐輪場１の中から外へ出す（入庫という。）ための場所であり、入庫路２０と入庫口操作ボックス４０と入庫ゲート２００とで構成される。
入庫路２０は、同時に一台の二輪車５が通過可能な幅を持った径路であり、入庫口路面２１と入庫口誘導溝２２とで構成される。
入庫口路面２１は、二輪車をおりた乗員が二輪車を押して進むのに必要な幅を持った路面である。入庫口誘導溝２２は、入庫口路面の中心部に入庫路に沿って設けられた溝である。入庫口誘導路２２は、幅が広くて浅い第一の溝とその第一の溝の中央部設けられた幅が狭くて深い第二の溝とで構成される。第一の溝は、自動二輪車のタイヤがはまるのに必要な幅をもつ。第二の溝は、自転車のタイヤがはまるのに必要な幅を持つ。
特に、入庫路２０が屈曲して、入庫路２０の少なくとも進入側の経路が、後述する入庫口水平腕１１０の中心のある側へ寄っているのが好ましい。
【００４０】
入庫口操作ボックス４０は、入庫口２０から入庫する際に、二輪車５の乗員が操作するものである。
たとえば、駐輪場が自分の二輪車を駐輪させる場所である場合、出庫口操作ボックス３０は、入庫の意志を表す操作をするための装置である。例えば、装置は、単なる押しボタンを持った操作盤である。
また、駐輪場が備え付けの二輪車をレンタルする場所である場合、入庫口操作ボックス４０は、レンタルの終了時刻を記録、又はレンタル料金の精算を行なう装置、又はプリペイドカードを発行する装置である。
二輪車の乗員が、入庫口操作ボックス４０に操作をすると、後述する入庫口解除信号が発信される。入庫ゲート２００は、入庫口解除信号をうけて後述する所定の作動をする。
【００４１】
入庫ゲート２００は、入庫路２０に設けられたゲートであり、入庫口水平腕２１０と入庫口支持構造２２０と入庫口カム機構２３０と入庫口ロック機構２４０と入庫口逆走防止手段２５０とを備える。
入庫ゲート２００の構造は、出庫ゲート１００の構造と同じなので説明を省略する。
【００４２】
次に、本発明の好ましい第一の実施形態に係る駐輪場の作用を説明する。
仮に、駐輪場が自分の二輪車を駐車させるものであるとして、説明する。
また、上から見て３本の出庫口水平腕１１０が放射状に伸びているものとして、上から見て３本の入庫口水平腕１２０が放射状に伸びているものとして説明する。
最初に、二輪車が駐輪場から出る場合を説明する。
乗員が駐輪場へ入り、自分の二輪車を見つける。乗員が二輪車を押して、出庫口１０へ進入する。乗員が、出庫口操作ボックス３０に駐車料金（例えば、１００円硬貨）を投入する。出庫口操作ボックス３０が出庫口ロック機構１４０に出庫口解除信号を発信する。
出庫口ロック機構１４０は、出庫口解除信号を受けて、出庫口ロックアクチエータ１４４を作動させる。出庫口係合歯１４２が、出庫口ロックばね１４３の付勢力に逆らって動く。出庫口係合歯１４２と出庫口係合部材１４１との係合が外れる。
出庫口係合歯１４２と出庫口係合部材１４１との係合が外れると、出庫口回転柱１２１の回転が自由になる。
【００４３】
乗員が、出庫口水平腕１１０を押すと、出庫口水平腕１１０と出庫口回転柱２１とが回転する。出庫口従動節１３２が出庫口カム１３１のカム面に沿って移動する。出庫口従動節１３２が出庫口カム１３１のカムプロフィールに従って、最も低い位置Ｐ１からＰ２を経由して最も高い位置Ｐ３へ移動する。さらに、乗員が出庫口水平腕１１０を押すと、乗員と二輪車は、出庫口ゲート１００を通過する。出庫口従動節１３２が出庫口カム１３１のカムプロフィールに従って、最も高い位置Ｐ３から最も低い位置Ｐ１へ移動する。
出庫口係合歯１４２が、出庫口ロックばね１４３の付勢力により、出庫口係合部材１４１の係合溝に嵌まる。
後続の他の二輪車の乗員は、別途、出庫口操作ボックス３０に駐車料金を投入しないと、駐輪場から出庫することができない。
特に、出庫路が屈曲し、出庫路の進入部が中心Ｃに寄っていると、後続の他の二輪車の乗員は、進入部で出庫口水平腕１１０に進路を遮られるので、出庫路での渋滞や不正通過を防止できる。
また、他の二輪車が、出庫口１０を出庫方向の逆方向へ移動しようとしても、出庫口水平腕１１０に阻止される。
【００４４】
次に、二輪車が駐輪場へ入る場合を説明する。
乗員が二輪車を押して、入庫口２０へ進入する。乗員が、入庫口操作ボックス４０の押しボタンを押す。入庫口操作ボックス４０が入庫口ロック機構２４０に入庫口解除信号を発信する。
入庫口ロック機構２４０は、入庫口解除信号を受けて、入庫口ロックアクチエータ２４４を作動させる。入庫口係合歯２４２が、入庫口ロックばね２４３の付勢力に逆らって動く。入庫口係合歯２４２と入庫口係合部材２４１との係合が外れる。
その後の、入庫口ゲート２００の動きは出庫口ゲート１００の動きと同じなので、説明を省略する。
後続の他の二輪車の乗員は、別途、入庫口操作ボックス４０の押しボタンをおさない、駐輪場へ入庫することができない。
特に、入庫路が屈曲し、入庫路の進入部が中心Ｃに寄っていると、後続の他の二輪車の乗員は、進入部で入庫口水平腕２１０に進路を遮られるので、入庫路での渋滞や不正通過を防止できる。
また、他の二輪車が、入庫口２０を入庫方向の逆方向へ移動しようとしても、入庫口水平腕２１０に阻止される。
【００４５】
次に、本発明の好ましい第二の実施形態に係る駐輪場を、説明する。
図６は、本発明に係る第二の実施形態の部分平面図である。
駐輪場１は、二輪車６を駐輪させる場所であり、敷地２と囲いフェンス３と出庫口４と入庫口５とで構成される。
従って、二輪車は、通常、出庫口４または入庫口５以外からは入庫または出庫ができない。
【００４６】
出庫口４と入庫口５との構造は、一つの入出庫ゲート１００，２００が、入庫ゲート１００と入庫ゲート２００を兼用している点を除いて、第一の実施形態に係る駐輪場の構造と同じなので、同一の部分について説明を省略する。
出庫口操作ボックス３０の出庫口解除信号と入庫口操作ボックス４０の入庫口解除信号とは、排他的に発信されることとなっている。例えば、出庫口操作ボックス３０での操作と入庫口操作ボックス４０での早い方の操作により、出庫口解除信号と入庫口解除信号のどちらかが発信される。
【００４７】
次に、本発明の好ましい第三の実施形態に係る駐輪場を、説明する。
図７は、本発明に係る第三の実施形態の部分平面図である。
駐輪場１は、二輪車６を駐輪させる場所であり、敷地２と囲いフェンス３と出庫口４と入庫口５とで構成される。
従って、二輪車は、通常、出庫口４または入庫口５以外からは入庫または出庫ができない。
【００４８】
出庫口４と入庫口５との構造は、入出庫ゲート１００，２００が、上から見て４本の出庫口水平腕と４本の入庫口水平腕とを備えている点を除いて、第一の実施形態に係る駐輪場の構造と同じなので、同一の部分について説明を省略する。
４本の出庫口水平腕１１０が、上から見て中心Ｃから放射状に延び円周を分割して配置されてている。出庫口カム１３１は、上から見て４個のカムプロフィールＰが環状に連なったカム面を持ったカムである。出庫口係合部材１４１は、円周に等間隔に４個の係合溝をもつ円筒形部材であり、出庫口回転柱１２１に同軸に嵌まっている。
入庫口ゲート２００も同様の構造を持っている。
【００４９】
次に、本発明の好ましい第四の実施形態に係る駐輪場を、説明する。
図８は、本発明に係る第四の実施形態の部分平面図である。
駐輪場１は、二輪車６を駐輪させる場所であり、敷地２と囲いフェンス３と出庫口４と入庫口５とで構成される。
従って、二輪車は、通常、出庫口４または入庫口５以外からは入庫または出庫ができない。
【００５０】
出庫口４と入庫口５との構造は、出庫ゲート１００と入庫ゲート２００とが、上から見て入出庫の方向に沿って配置されている点を除いて、第一の実施形態に係る駐輪場の構造と同じなので、同一の部分について説明を省略する。
出庫ゲート１００の出庫口水平腕１１０の回転の位相と入庫ゲート２００の入庫口水平腕２１０の回転の位相が、半位相分の回転だけずれる様になっている。
【００５１】
次に、本発明の好ましい第五の実施形態に係る駐輪場を、説明する。
図９は、本発明に係る第五の実施形態の部分平面図である。
駐輪場１は、二輪車６を駐輪させる場所であり、敷地２と囲いフェンス３と出庫口４と入庫口５とで構成される。
従って、二輪車は、通常、出庫口４または入庫口５以外からは入庫または出庫ができない。
【００５２】
出庫口４と入庫口５との構造は、出庫ゲート１００が出庫口揺動腕１６０と出庫口揺動腕付勢手（図示せず）とを備え、入庫ゲート２００が入庫口揺動腕２６０と入庫口揺動腕付勢手段（図示せず）とを備える点を除いて、第一の実施形態に係る駐輪場の構造と同じなので、同一の部分について説明を省略する。
出庫口揺動腕１６０は、上から見て中心Ｃから出庫路１０を跨いだ反対側にある他の垂直軸回りに揺動可能な部材である。
出庫口揺動腕付勢手段は、出庫口揺動腕１６０を出庫路１０を遮る位置に付勢する機構である。例えば、出庫口揺動腕付勢手段は出庫口揺動腕１６０を出庫路１０を遮る位置に付勢するばね構造である。
入庫口揺動腕２６０は、上から見て中心Ｃから入庫路２０を跨いだ反対側にある他の垂直軸回りに揺動可能な部材である。
入庫口揺動腕付勢手段は、入庫口揺動腕２６０を入庫路２０を遮る位置に付勢する機構である。例えば、入庫口揺動腕付勢手段は入庫口揺動腕２６０を入庫路２０を遮る位置に付勢するばね構造である。
【００５３】
上述の実施形態の二輪車を駐車させる駐輪場を用いれば、中心から周囲に放射状に伸びた３本以上の出庫口水平腕を備えた出庫ゲートまたは入庫口水平腕を備えた入庫ゲートを出庫口または入庫口に備えたので、簡単な構造の出庫ゲート及び入庫ゲートで駐輪場の入出庫の管理ができ、駐輪場の構成を簡単にできる。特に３本以上の出庫口水平腕を備えているので、出庫口に一個の出庫ゲートを設け、入庫口に一個の入庫ゲートを設けるだけですむ。
また、出庫路または入庫路が屈曲し、出庫路または入庫路の進入部が中心Ｃに寄っているので、後続の他の二輪車の乗員は、進入部で出庫口水平腕または入庫口水平腕に進路を遮られ、出庫路または入庫路での渋滞や不正通過をより容易に防止できる。
また、出庫口と入庫口を接近させれば、一個の入出庫ゲートですみ、さらに簡単な構成で駐輪場の入出庫を管理できる。
また、入庫ゲートと出庫ゲートの組み合わせに多くのバリエーションを選択でき、駐輪場の敷地の多様な要請に対応できる。
また、出庫口カム機構が出庫ゲートの出庫口水平腕の回転をコントロールし、入庫口カム機構が入庫ゲートの入庫口水平腕の回転をコントロールするので、出庫ゲートまたは入庫ゲートの構造を簡素化できる。
また、出庫口カム機構が出庫ゲートの出庫口水平腕の逆回転を防止する機能をもち、入庫口カム機構が入庫ゲートの入庫口水平腕の逆回転を防止する機能をもつので、さらに出庫ゲートまたは入庫ゲートの構造を簡素化できる。
また、入庫口操作ボックスへの操作により入庫ゲートが作動し、出庫口の操作ボックスへの操作により出庫ゲートが作動するので、二輪車の乗員には特別の訓練が必要でない。
また、出庫口操作ボックスが、精算処理または出庫時刻の記録をする装置であれば、二輪車の乗員が精算処理または出庫時刻の記録を行った後で、前記出庫路を遮る前記出庫口水平腕を押すと、出庫路を通過できる。
また、出庫口揺動腕１６０または入庫口揺動腕２６０を備えると、出庫口水平腕１１０または入庫口水平腕２１０の長さを短くすることができるので、出庫口または入庫口の間口を狭くすることができる。
【００５４】
本発明は以上に述べた実施形態に限られるものではなく、発明の要旨を逸脱しない範囲で各種の変更が可能である。
出庫路に設けた出庫ゲートと入庫路に設けた出庫ゲートとを同じ構成のものであるとして説明したがこれに限定されず、例えば、入庫ゲートを遮断バーが降りて入庫路を遮る形式のものとしてもよい。
また、入庫口操作ボックスが入庫口にあるとして説明したがこれに限定されず、入庫口操作ボックスを省略してもよい。
また、出庫口水平腕の本数と入庫口水平腕の本数を同数であるとして説明したが、これに限定されず異なる数としてもよい。
【００５５】
【発明の効果】
以上説明したように本発明の二輪車を駐輪させる駐輪場は、その構成により、以下の効果を有する。
放射状に配置された３本以上の出庫口水平腕を持った出庫ゲートを出庫口に備えて、回転自在になった出庫口水平腕のうちの少なくとも一本が出庫路を遮る様にしたので、二輪車は、入庫口の入庫路を通過して駐輪場に入庫することができ、出庫ゲートの出庫口水平腕を押して回転させて出庫口の出庫路を通過して駐輪場を出庫でき、出庫口から駐輪場へ入ることができず、それ以外からは入庫または出庫が出来ないので、二輪車の駐輪場での入出庫を管理できる。
また、出庫口カム機構が回転に伴って出庫口水平腕を上下方向に支持し、前記出庫口水平腕のうちの一本が出庫路を遮る位置で前記出庫口カムが前記出庫口従動節を前記カムプロフィールの中の最も低い位置で支持する様にしたので、出庫路を遮る前記出庫口回転腕を出庫路の出庫方向に押すと、前記出庫口水平腕がカムプロフィールに沿ってせり上がり、前記出庫口水平腕のうちの他の一本が出庫路を遮ると前記出庫口水平腕が最も低い位置で安定して停止する。
また、前記出庫カムのカムプロフィールが、前記出庫口水平腕のうちの少なくとも一本が出庫路を遮る位置で、前記一本を上から見て出庫路での出庫する方向の逆方向へ移動させる前記出庫口水平腕の回転に連動する前記出庫口従動節の動きを遮る様にしたので、出庫口カム機構で出庫口逆走防止手段を実現できる。
また、前記出庫路が屈曲して、前記出庫路の進入部が、前記出庫口水平腕の中心のある側へ寄っている様にしたので、二輪車が、進入部から前記出庫路へ侵入する際に、前記出庫口水平腕が二輪車を誘導しやすい。
また、出庫口ロック機構が所定の解除信号により前記出庫口水平腕の回転を自由にする様にしたので、所定の解除信号が発信された後で前記出庫路を遮る前記出庫口水平腕を押すと、出庫路を通過できて、再度前記出庫口水平腕のうちの他の一本が出庫路を遮ることができる。
また、出庫口での二輪車の乗員の所定の出庫口操作に連動して前記出庫口解除信号が発信される様にしたので、二輪車の乗員の所定の出庫口操作をした後で、前記出庫路を遮る前記出庫口水平腕を押すと、出庫路を通過できる。
また、出庫口に出庫路を遮ることのできる出庫口揺動腕を備えたので、前記出庫口水平腕と前記出庫口揺動腕とで前記出庫路を遮り、前記出国口水平腕の長さを短くして、前記出庫口の間口を狭くすることができる。
また、同一の構成をした入庫ゲートを入庫口に備えたので、二輪車は、入庫口の入庫路を通過して駐輪場に入庫することができ、入庫ゲートの入庫口水平腕を押して回転させて入庫口の入庫路を通過して駐輪場を入庫でき、入庫口から駐輪場へ出ることができず、それ以外からは入庫または出庫が出来ないので、二輪車の駐輪場での入出庫を管理できる。
また、入庫口カム機構が回転に伴って入庫口水平腕を上下方向に支持し、前記入庫口水平腕のうちの一本が入庫路を遮る位置で前記入庫口入庫が前記入庫口従動節を前記カムプロフィールの中の最も低い位置で支持する様にしたので、入庫路を遮る前記入庫口回転腕を入庫路の入庫方向に押すと、前記入庫口水平腕がカムプロフィールに沿ってせり上がり、前記入庫口水平腕のうちの他の一本が入庫路を遮ると前記入庫口水平腕が最も低い位置で安定して停止する。
また、入庫口カムのカムプロフィールが、前記入庫口水平腕のうちの少なくとも一本が入庫路を遮る位置で、前記一本を上から見て入庫路での入庫する方向の逆方向へ移動させる前記入庫口水平腕の回転に連動する前記入庫口従動節の動きを遮るので、入庫口カム機構で入庫口逆走防止手段を実現できる。
また、前記入庫路が屈曲して、前記入庫路の進入部が前記入庫口水平腕の中心のある側へ寄っているので、二輪車が、進入部から前記入庫路へ侵入する際に、前記入庫口水平腕が二輪車を誘導しやすい。
また、前記入庫口ロック機構が所定の入庫口解除信号を受けて前記入庫口水平腕の回転を自由にする様にしたので、所定の入庫口解除信号が発信された後で前記入庫路を遮る前記入庫口水平腕を押すと、入庫路を通過できて、再度前記入庫口水平腕のうちの他の一本が入庫路を遮ることができる。
また、二輪車の乗員の所定の入庫口操作をした後で、前記入庫路を遮る前記入庫口水平腕を押すと、入庫路を通過できる。
従って、より簡易な管理により管理者の要望に応えることができ、より安価で設置者の要望に応えることができ、また、利用者のはばひろい要望に応えることのできる駐輪場を提供できる。
【００５６】
【図面の簡単な説明】
【図１】本発明に係る第一の実施形態の全体平面図である。
【図２】本発明に係る第一の実施形態の部分平面図である。
【図３】本発明に係る第一の実施形態の部分正面図である。
【図４】本発明に係る第一の実施形態のＡ−Ａ断面図である。
【図５】本発明に係る第一の実施形態のＢ−Ｂ断面図である。
【図６】本発明に係る第二の実施形態の部分平面図である。
【図７】本発明に係る第三の実施形態の部分平面図である。
【図８】本発明に係る第四の実施形態の部分平面図である。
【図９】本発明に係る第五の実施形態の部分平面図である。
【符号の説明】
Ｃ    中心
Ｐ    カムプロフィール
１    駐輪場
２    敷地
３    囲いフェンス
４    出庫口
５    入庫口
６    二輪車
１０    出庫路
１１    出庫口路面
１２    出庫口誘導溝
１３    進入部
２０    入庫路
２１    入庫口路面
２２    入庫口誘導溝
２３    進入部
３０    入庫口操作ボックス
４０    出庫口操作ボックス
１００    出庫ゲート
１１０    出庫口水平腕
１２０    出庫口支持構造
１２１    出庫口回転柱
１２２    出庫口上部回転ガイド
１２３    出庫口下部回転ガイド
１３０    出庫口カム機構
１３１    出庫口カム
１３２    出庫口従動節
１４０    出庫口ロック機構
１４１    出庫口係合部材
１４２    出庫口係合歯
１４３    出庫口ロックばね
１４４    出庫口ロックアクチエータ
１５０    出庫口逆走防止手段
１６０    出庫口揺動腕
２００    入庫ゲート
２１０    入庫口水平腕
２２０    入庫口支持構造
２２１    入庫口回転柱
２２２    入庫口上部回転ガイド
２２３    入庫口下部回転ガイド
２３０    出庫口カム機構
２３１    入庫口カム
２３２    入庫口従動節
２４０    入庫口ロック機構
２４１    入庫口係合部材
２４２    入庫口係合歯
２４３    入庫口ロックばね
２４４    入庫口ロックアクチエータ
２５０    入庫口逆走防止手段
２６０    入庫口揺動腕
【図１】
2004251077.tif 000003
【図２】
2004251077.tif 000004
【図３】
2004251077.tif 000005
【図４】
2004251077.tif 000006
【図５】
2004251077.tif 000007
【図６】
2004251077.tif 000008
【図７】
2004251077.tif 000009
【図８】
2004251077.tif 000010
【図９】
2004251077.tif 000011